(57)【特許請求の範囲】
【請求項１】
上方に開口部を有し装飾物の基部を挿通・保持するようにした装飾物の収納容器において、該収納容器には上ケースと下ケースの２つの部材に分割可能な分割部を有し、前記上ケース内にはその内周縁に沿って前記装飾物の基部を囲繞する略環状の発光手段を配置し、該発光手段の輪郭線の最外側を前記開口部の輪郭線よりも外側に位置しかつ該上ケース上方開口部の内周縁の輪郭によって形成される開口面積を前記発光手段の外側環状部の輪郭によって囲まれる最外空間の面積よりも小さく、かつ該発光手段の内側環状部の輪郭によって囲まれる最内空間の面積よりも大きく形成したことを特徴とする装飾物の収納容器。
【請求項２】
前記発光手段は略環状の蛍光管であって、該蛍光管の下方には装飾物の基端部を収納する有底の受け容器を架台上に配置すると共に、該受け容器の上方開口部の面積を前記発光手段の最内空間の面積よりも大きく形成し、さらにその内面には光触媒を塗着するか又は光触媒を塗着した被着体を配置したことを特徴とする請求項１記載の装飾物の収納容器。
【発明の詳細な説明】
【０００１】
【発明の属する技術分野】
本発明は、室内装飾やインテリア用に用いる生花又は造花或いは鉢物植物等の装飾物を収納する花器類に関し、詳しく前記装飾物をライトアップして全体の美観を向上させると共に、生けた生花の鮮度を長持ちさせるようにした装飾物の収納容器に関する。
【０００２】
【従来の技術】
従来、ホテルや各種催し物施設のロビー又はホール等に飾られる生花や造花，その他のインテリア装飾物は、一般に壺状又は扁平状の花器に生けたり或いは籠状の収納容器内に受け容器を収納しその中に生けられている。
【０００３】
例えば、生ける装飾物が生花の場合収納容器（花器）内に剣山を設置し、該剣山の針部に茎部先端を差し込んで生けているのが普通である。他方、造花又はインテリア用装飾物等のように剣山が使えない装飾物の場合は、収納容器内に筒状の基部保持用容器を配置してここに差し込んで飾っているのが普通である。
【０００４】
また、これらの装飾物を飾る場所もロビーやホールの隅及び壁際，通路脇などが多い。ところが、かかる設置場所は当該建物の中でも比較的照度が低い領域であるため、一般には専用の照明器具やスポットライト等によってその要部を部分照射するか又はその周囲を多方向から照射することにより該装飾物全体を映えさせるようにしている。
【０００５】
このようにして生けられた装飾物において、特に生花の場合比較的高価であると共に設置環境によっては２ないし３日でしおれてその美観を消失してしまうため、頻繁な生け直しや交換が必要で不経済となっているのが実体である。
【０００６】
この対策として、一般には生けた生花を長持ちさせる幾つかの方法が用いられている。例えば、花器類の水槽内に1０円玉や銅材料等を浸漬してその抗菌作用により水の腐敗を防止したり、或いは漂白剤や花類を長持ちさせる特殊な薬液を混入する等の方法を用いたりしている。
【０００７】
【発明が解決しようとする課題】
上述した装飾物は、日中にあっては自然光だけでもその美観を充分映えさせることができるが、夜間の場合スポットライトで照射するもその反対側は光の死角となって折角の美観が損なわれているケースが多い。
【０００８】
このような場合、その反対側から別の補助光源を用いて照射することも考えられるが装飾物全体を満遍なく照射するためには複数の照明器具を用いて多方向から照射する必要があり、その場合の花器類の設置場所或いは照明器具の設置場所に多くの制限が生ずる他、該装飾物の設置場所が前記照明器具の設置された位置に固定されるという問題がある。
【０００９】
この対策として、特開２０００−２１８１１６号公報及び特開平１１−１８１６１１号公報に開示されるように装飾物の下方周囲に電球などの照明具を配置して該装飾物を照射したり、花器内に光源を設けて下方から装飾物を照射するなどの方法で装飾物全体の美観を向上させるようにした収納容器も提案されているが、何れの場合も光源から放射される照射光が周囲に拡散する構造であるためその照度が低下して装飾物全体がほどよく映えないという問題がある。
【００１０】
特に生花の場合、時期物以外は高価であり切り花相場も時節によって大きな変動があるため割高となることが多い。また、水槽内に１０円玉や銅材料を浸漬させる方法の場合、長期間使用のうちに該材料に緑青が発生して水槽内が汚れるという問題がある。
【００１１】
一方、漂白剤や特殊な薬液を投入する方法の場合、水受容器内への水補給によりその濃度が次第に希釈されるため補給の都度前記薬液を補充する必要がある他、容器の底部に水垢が堆積して悪臭を放つため頻繁な水交換が必要であるなどその作業が煩わしいという問題点もある。
【００１２】
本発明は、上記問題点を解消するため、第１の目的は装飾物を効果的にライトアップして設置場所のイメージアップを図ると共に生けた装飾物の美観を向上させること、第２には薬液を用いることなく生けた生花を長持ちさせるようにした装飾物の収納容器を提供することを目的とする。
【００１３】
【課題を解決するための手段】
上記目的を達成するために、本発明請求項１は上方に開口部５を有し装飾物の基部を挿通・保持するようにした装飾物の収納容器１において、該収納容器には上ケース２と下ケース３の２つの部材に分割可能な分割部４を有し、前記上ケース内にはその内周縁に沿って前記装飾物の基部を囲繞する略環状の発光手段２８を配置し、該発光手段の輪郭線の最外側を前記開口部の輪郭線よりも外側に位置しかつ該上ケース上方開口部の内周縁の輪郭によって形成される開口面積を前記発光手段の外側環状部４３の輪郭によって囲まれる最外空間４３ａの面積よりも小さく、かつ該発光手段の内側環状部４４の輪郭によって囲まれる最内空間４４ａの面積よりも大きく形成したことを特徴とする。これにより、収納容器１内に配置した発光手段２８により装飾物を効果的にライトアップしより一層映えさせることができる。
【００１４】
また、前記発光手段２８は略環状の蛍光管４０であって、該蛍光管の下方には装飾物の基端部を収納する有底の受け容器１４を架台１３上に配置すると共に、該受け容器の上方開口部１４ａの面積を前記発光手段の最内空間４４ａの面積よりも大きく形成し、さらにその内面には光触媒を塗着するか又は光触媒を塗着した被着体を配置するとよい（請求項２）。本構造によれば環状の蛍光管４０によって、装飾物の全周を下方から均一に照射することができると共に、前記発光手段から照射される光も収納容器１周辺に拡散することなくその要部を好適に照射でき、さらに前記発光手段が放射する照射光中の紫外線によって光触媒３７ａが反応し前記受け容器１４中の水を浄化し、植物の活性化を抑制するから生花など植物の鮮度を長持ちできる。
【００１５】
【発明の実施の形態】
以下、本発明の第１実施形態を図１ないし図４により生花用の収納容器（花器）をもとに説明する。
【００１６】
図１，図２において、収納容器１は上ケース２と下ケース３とにより構成され、分割部４においてその内方に突設した段部６下方に形成の突起７が下ケース３のインロー部８に同芯で嵌り込み、各々は離脱可能となっている。また、上ケース２には分割部４の外周縁近傍からやや上すぼみ状で小径に形成された開口５が設けられる共に、該上ケース内にはその内周縁に沿って略環状に発光手段２８が配置されている。
【００１７】
一方、下ケース３の底壁９には底穴１０が開口しその最下端には前記底壁を底上げするように台座１１が突設し、その周縁には複数の切り欠き１２が設けられている。これにより、収納容器１内は底穴１０を介して大気と連通している。なお、７０は下ケース３周囲の適宜箇所に開口した通気口である。
【００１８】
また、収納容器１内には断面略台形状の架台１３が配置され、該架台上には上広がり状で有底の受け容器１４が載置して装飾物の基端部を収納し止め受けるようになっている。この受け容器１４の底部１５には係合段部１６が凸設しており、架台１３上に凹設した窪み１７に同芯状に嵌り込むと共に、その外周縁に形成された環状座部１８に受け容器１４の底部１５の外周縁が着座し水平方向への移動を固定している。
【００１９】
また、受け容器１４の上方周縁には枢止部材１９によってその両端を起伏・回動自在に枢支された略半円状の取っ手２０が設けられており、該受け容器内の清掃又は水補給時に該取っ手を把持して持ち上げることにより収納容器１内から取り出し可能となっている。
【００２０】
収納容器１を構成する上ケース２ならびに下ケース３に用いる材料は、陶器又は磁器又はガラス等の他樹脂又は金属又は竹・藤・蔓物などの乾燥植物の何れでも構成可能である。例えば上ケース２を竹製とし下ケース３を陶器とする如く、上ケース２，下ケース３それぞれを異なる材料で組み合わせて構成してもよく、その使用材料は、生ける装飾物ならびに該収納容器を設置する場所等に応じて適宜選択することができる。
【００２１】
また、受け容器１４の底部１５には生花その他の装飾物の基部を保持する保持手段たるスタンド２１が着脱自在に据え付けられている。このスタンド２１は、図２に示すように略円形で複数の小開口２２を有する上板２３の周縁から垂下して延びる支持脚２４と、該上板の下方に適宜の間隔を設けて複数段（本実施形態においては２段）の階層に組み立てられた下板２５とにより成り、それぞれは支持脚２４に対して図示せざる係止部材（例えば螺合ネジ）により着脱自在に固定されており、必要に応じてその階層数を可変可能となっている。
【００２２】
そして、装飾物Ｓを生けるときは図中２点鎖線で示すように該装飾物の基部又は茎部Ｓ１を上板２３及び下板２５の小開口２２の適宜位置に挿通することによって容易に生けられる。即ち、一般の装飾物はその基部より上方に重心があるのが普通であるから、該重心よりも下側の基部又は茎部を上板２３の小開口２２と下板２４の小開口２２によって垂直方向の複数箇所で支えることとなるので、より確実に保持できる。なお、前記小開口の形状は方形以外の変形円であってもよく、また上板及び下板は平板状又は湾曲状の何れであってもよくその表面形状は特に限定しない。
【００２３】
これにより、装飾物Ｓは垂直方向任意の位置で保持できると共に、例えば装飾物Ｓの上方にその重心が偏っていた場合或いは風その他の原因により装飾物上方に外力が加わった場合等においてもその生けた態様が崩れることがない。なお、前記上板，下板を網目状の金網で構成することも考えられるが、該金網の網目は方形又は菱形が普通であるから網目の中に差し込んだ装飾物の基部を適当な位置で保持しょうとしてもその基部が網目の角部に移動・集中して形態が崩れ易いという問題点がある。この点本実施形態によれば、小開口２２は略円形のため任意の位置で確実に固定できる。
【００２４】
一方、架台１３（図１）内の天板２６ならびにその側壁２７には発光手段２８制御用の制御機器２９が固定され、配線ケーブル３０を介して相互に接続している。この架台１３は、お椀を伏せたようにして収納容器の底壁９上に着座しているため、万一架台上方の受け容器１４又は装飾物Ｓから水や水滴がこぼれ落ちた場合でもその側壁２７によって内部に配置された各機器への飛着が防止される。
また、制御機器２９は収納容器の底穴１０に面する下側を除きその周囲を保護カバー３１によって覆われており、該制御機器から放出される熱が周辺の機器ならびに収納容器１内に拡散することを防止している。
【００２５】
さらに、架台１３の天板２６との据え付け面には突起又はディスタンスピースなどの浮き座３２によって適宜間隔の空隙３３が形成されており、前記制御機器の発熱が天板２６を介して直接受け容器１４に伝達して中の水Ｗが昇温することを防止している。なお、３４は電源ケーブル，３５はＯＮ−ＯＦＦ用スイッチである。
【００２６】
また、受け容器１４の内面である底部１５及び内壁３６には図３に示すように光触媒３７ａが塗着されている。この光触媒３７ａは、母材である受け容器１４上に下地層３８を形成しその上に光触媒３７ａを加熱コーティングすることにより光触媒層３７を形成したもので、下地層３８にはシリコーン系の基材が用いられている。
【００２７】
一方、光触媒３７ａの基材には化学的に安定していて高い活性度を有し、しかも比較的安価な二酸化チタンの微粒子が用いられ、発光手段２８からの放射光に反応して活性化し生けた生花の鮮度状態を長期間保持することができる。
【００２８】
上記光触媒として用いられる二酸化チタンは、光が当たると強い酸化力で抗菌、脱臭、汚防という効果に加えて曇らない、汚れないという超親水性を兼ね合わせた作用によって受け容器１４内に貯留する水の腐敗防止と水垢や藻等の有機物を分解しその発生を防止する他、生花など植物自体が成熟する過程で排出するエチレンガス等、不望のガス成分を光触媒反応によって分解・除去するため、該植物の生理作用が抑制されその鮮度状態を長く保持するという作用を有している。
【００２９】
二酸化チタンの平均粒径は５〜１０ｎｍの極めて細かい微粒子で、通常０．１〜５μの範囲に設定されており、前記光触媒層の膜厚としては厚くコーティングするほど程好ましいが、製造工程ならびにコスト面から考慮し概ね上記範囲に設定するのが望ましい。
【００３０】
再び図１を参照して、収納容器１の上ケース２内に配置された発光手段には環状の蛍光管４０が用いられ、装飾物Ｓを生けたときに該装飾物の基部又は茎部Ｓ１（図２）の周囲を囲繞するように配置されている。そして、上ケースの内周壁４１に形成の段部６がホルダー４２の係止部となって該内周壁間に適宜の間隔を設けて保持固定している。なお、４５は前記蛍光管の差込プラグ，３０は架台１３内の制御機器２９と接続する配線ケーブルである。
【００３１】
また、上記蛍光管４０は、一般に市販されている普通型蛍光管でもよいが望ましくは中でも２５０から４００ｎｍ（ナノメートル）の波長域の紫外線を多く含む放射領域ものがよく、さらに好ましくは昼光色で６０００から７０００Ｋ（ケルビン）の３波長型蛍光管など近紫外線領域の放射要素をできるだけ多く含むものを光源とするのがよい。これにより、受け容器１４内の光触媒３７ａの活性化を促し触媒反応を効率よく励起することができる。
【００３２】
併せて、蛍光管４０と収納容器の開口５との寸法関係を次のように設定しておくのが望ましい。即ち、図４において前記開口５の水平な面における内周縁の輪郭によって形成される開口面積５ａは、前記蛍光管４０の外側環状部４３の輪郭によって囲まれる最外空間４３ａの面積よりも小さく、かつ前記蛍光管の内側環状部４４の輪郭によって囲まれる最内空間４４ａの面積よりも大きく形成するのが望ましい。
【００３３】
さらに望ましくは、前記開口５の内周縁と発光手段たる蛍光管４０の上端との間隔Ｈａを該蛍光管の内側環状部４４の直径に対して概ね１／２から１／５の範囲に設定するのが望ましい。このように形成することにより発光手段たる蛍光管４０から放射される光が収納容器周辺に拡散することを抑え、装飾物Ｓを好適にライトアップすることができる。
【００３４】
換言すると、前記開口５の内周縁の輪郭が蛍光管４０の最外側となる外側環状部４３から垂直に延びる延長線Ｙａよりも外側にある場合、ならびに該開口の周縁と蛍光管４０の上端との間隔Ｈａが上記寸法よりも小であった場合、該蛍光管から放射される光が収納容器１周辺に拡散して該装飾物に対する照射効果が損なわれると共に、蛍光管から放射される照射光が直接鑑賞者の視線に入射するため装飾物Ｓよりも光の方が勝って該装飾物が映えないという問題がある。
【００３５】
そのうえ、前記照射光が収納容器周辺に拡散した分、上ケース２の内周壁４１に反射して受け容器１４内を照射する光量が減少し、該受け容器内に塗着した光触媒の反応効果が希釈されるという問題もある。
【００３６】
一方、前記開口５の内周縁の輪郭が蛍光管４０の最内側となる内側環状部４４から垂直に延びる延長線Ｙｂよりも内側にある場合、ならびに収納容器１の開口５周縁と発光手段たる蛍光管４０上端との間隔Ｈａが上記寸法よりも大であった場合、蛍光管４０から放射される光が開口５の周縁に遮られるため装飾物Ｓに対する照射範囲が狭められ、その基部のみが映えて被装飾物Ｓの上方までを満遍にライトアップすることができないという問題もある。
【００３７】
また、受け容器１４の上方開口部１４ａの開口面積１４ｂに関しても同様に、蛍光管４０の最内空間４４ａよりも大きく設定しておくことが望ましい。これにより、その下方に配置した受け容器１４内の光触媒層に対しても満遍なく照射でき触媒反応を効率的に励起することができる。
【００３８】
而して、収納容器の開口５と発光手段たる蛍光管４０の外側環状部４３又は内側環状部４４の直径寸法又はこれらの輪郭によって囲まれる範囲の面積との関係、ならびに光源と被照射物との位置関係それぞれは被照射物を好適にライトアップするための重要な要素であり、また光触媒の触媒反応を効率的に励起させるための重要な要素でもある。なお、収納容器１に分割部４を形成した理由は、以上で説明した寸法設定条件に基づき発光手段２８ならびに受け容器１４その他の各部材を収納容器１内に収納するにあたり不可欠の構造であることによる。
【００３９】
また、スタンド２１の上板２３上には環状の遮光板５０が着脱自在に載置しており、その下方に突設のフットプレート５１によってスタンド２１と同芯に保持されている。この遮光板５０は、発光手段たる蛍光管４０のほぼ内側に位置して被装飾物の基部近傍に対する遮光を目的とし、これにより蛍光管４０の放射光中に含まれる紫外線によってその近傍の生花等、生々植物の基部又は茎部の変色や葉焼けが防止される。
【００４０】
次いで、作用について説明する。まず、装飾対象となる生花又は生々植物を生ける場合、受け容器１４内に適量の水Ｗを給水後その基部又は茎部Ｓ１を開口５ならびに蛍光管４０の内側環状部から挿通し、保持手段たるスタンド２１に開口する小開口２２に差し込む（図２）。このとき、該茎部は上板２３の小開口２２ならびにその下方に配置する下板２５の小開口２２によって垂直方向の複数箇所（本実施形態においては２ヶ所）で保持される。これにより、該装飾物の垂直方向ならびに水平方向の位置決めも確実にでき、万一外力が加わったとしても該茎部を複数箇所で支えられていることによりその態様が崩れることがない。
【００４１】
このようして生け終わった後、スイッチ３５をＯＮして発光手段たる蛍光管４０を点灯する。これにより、蛍光管４０から上方に向けて放射される照射光の一部は生けた装飾物Ｓを下方から満遍なく照射して映えさせる。この場合、被装飾物の葉（特に木類の葉）はできるだけ光源から離して生けるようにすると放射光の妨げにならず満遍なく映える。
【００４２】
また、前記蛍光管から略水平方向に放射された照射光は遮光板５０によって装飾物の茎部Ｓ１への照射が遮られているため、その茎部ならびにその近傍に対する焼け現象から保護される。
【００４３】
一方、下方の受け容器１４内に入射した照射光及び上ケース２の内周壁４１に反射した照射光は、受け容器１４の内壁３６ならびに底部１５に入射又は反射し、その内面にコーティングされた光触媒層３７に入射し触媒反応を効率的に励起して内部に貯留する水Ｗの腐敗防止と水垢や藻の発生防止，さらには生花など植物自体が成熟する過程で排出するエチレンガス等、不望のガス成分を分解・除去することによって該植物の生理作用を抑制し、その鮮度状態を長く保持する。
【００４４】
なお、本実施形態において光触媒３７ａは受け容器１４の内面にコーティングする構造として説明したが、該コーティングを実施せず、代りに小砂利又は金属片又はガラス片等に光触媒を塗着した被着体（図示せず）を配置しても以上で説明したと同様の作用・効果を奏することができる。また、生ける装飾物Ｓが生花等生々植物以外の場合は、受け容器内への給水は不要であると共に光触媒層３７の形成も不要であるが、仮に光触媒層が形成されている場合は光触媒作用により収納容器の設置場所周辺における大気の脱臭に役立つ。
【００４５】
一方、架台１３内に固定された制御機器２９の発熱によって発散した熱は、収納容器底壁の底穴１０から台座の切り欠き１２を介して直接外部に放出される。また、架台１３の近傍に滞留する熱気は収納容器１下方に開口した通気口７０から自然対流により流入する外気と共にその内周壁４１に沿って上昇し、蛍光管４０周辺の熱気と共に開口５から外部に排出される。
【００４６】
なお、蛍光管４０の交換及び受け容器１４の清掃、ならびに架台１３内の制御機器２９のメンテナンスに際しては蛍光管４０の差し込みプラグ４５に接続する配線ケーブル３０を引き抜いた後、上ケース２を持ち上げれば容易に取り出すことができる。なお、本実施形態において収納容器１は上ケース２と下ケース３の２分割として説明したが、収納容器内に収納する機器の大きさに応じて少なくとも２つ以上の部材に分割する構造としてもよいものである。
【００４７】
図５は本発明の第２実施形態で、収納容器１の上ケースと下ケースの分割位置を変更し、発光手段の設置を容易にすると共に上ケースの材料を変更容易としたものである。以下前述第１実施形態で説明したと同一部材は同一符号をもって説明すると共に、該実施形態と異なる部分について説明する。
【００４８】
収納容器１０１を構成する上ケース１０２は、下ケース１０３との分割部４においてその下方に突設したインロー突起１０４が下ケース１０３のインロー開口１０５に嵌り込み、該インロー開口を上方から覆うように載置している。また、下ケース１０３の内周壁４１にはその上端から適宜寸法下方位置に係止突起１０６が突設し、ここに発光手段たる蛍光管４０保持用のホルダー４２が係止されている。
【００４９】
本実施形態は以上のように構成されており、これにより発光手段４０ならびに架台１３，受け容器１４、その他各収納部材の設置と取り出しが容易となる。また、上ケース１０２の形状又は材料を下ケース１０３と異なるもの例えばガラス，樹脂，竹細工品、籐・蔓物細工品などを幾つか用意しておき、設置場所の雰囲気や生ける装飾物等に合わせて適宜変更することも容易で、これにより設置場所の環境や装飾物の種類に応じて各種の態様で飾ることができる。
【００５０】
図６は本発明の第３実施形態で、発光手段として発光ダイオードを用いたものである。以下同様に第１実施形態と異なる部分について説明する。収納容器１の上ケース２には略環状に形成したリングホルダー５５が配置し、その下端は上ケース２の内周壁に形成の係止部としての段部６によって係止されている。また、リングホルダー５５の上方周縁に略Ｌ字状に形成された鍔部５６には、図７に示すように略Ｕ字状に切り欠かれた係合溝５７にゴム又は合成樹脂製の保持部材５８を介して発光手段たる発光ダイオード５９が装着している。さらに、架台１３内には前記発光ダイオードの点灯・点滅ならびに点灯間隔の制御を行うコントローラ６０が固定し、配線ケーブル３０により発光ダイオード５９と接続すると共に電源ケーブル３４を介して電源と接続している。
【００５１】
本実施形態は以上の構成により成り、例えば生けた装飾物を下方からライトアップする他適宜間隔で点灯・点滅制御したり、或いは青赤などの発光色の異なる発光ダイオードを適宜間隔で配置したものを一定サイクルで点灯・点滅制御させたりすることにより被装飾物の美観を一層引き立たせることができる。また、前記発光手段は発光ダイオードに代えて小型の装飾電球もしくはこれらに類する小型電球を用いてもよいことは言うまでもなく、またその配置位置も第１実施形態で説明した内容に準じて配置すればよく、その詳細説明は省略する。
【００５２】
図８は本発明の第４実施形態で、装飾物Ｓを鉢物植物とした場合の形態である。本実施形態は、収納容器１の上ケース２及び下ケース３を第１実施形態で説明した部材と同一部材とし、受け容器１４及び保持手段たるスタンド２１を取り除き架台１３上に受け皿６５を載せてその上に鉢物植物６６を鉢ごと据え付け載置したものである。本実施形態においては、いちいち生ける煩わしさもなく鉢６７ごとをそのまま収納容器１内の架台１３上に置くだけで該鉢内に植え込まれた植物を好適にライトアップすることができる。なおこの場合、鉢６７の高さに応じて高さ調整用据付台座６８を用いることにより発光手段との間隔を調整することができ好適なライトアップ効果を得ることができる。
【００５３】
なお、本発明は上記実施形態に限定されるものではなく、本発明の要旨の範囲内において各種の変形実施が可能である。例えば、受け容器１４内に配置したスタンド１９に代えて従来用いられている剣山を設置してもよく、また発光手段たる蛍光管４０は三波長型蛍光管に限らず市販の各種丸管式蛍光管を用いてもよい。
【００５４】
さらに、収納容器１を構成する上ケース２ならびに下ケース３の分割方法は、水平方向に限らず斜め方向または水平方向と斜め方向の組み合わせでもよく、さらに分割部の接合構造は、インロー合わせに限らずその接合部を包み込むように重ね合わせたり、また接合部周縁に波型の凹凸を形成して重ね合わせたりする等その態様は特に限定しない。
【００５５】
また、収納容器の材料も本発明の各実施形態で掲げた部材の他、装飾物用容器として使用可能な材料であってもよく、さらにこれらの材料の組み合わせにより構成することもできる。併せてその形状も壺状又は筒状，篭状，箱状など装飾物及び設置場所に併せて適宜選択可能であり、その材質・形状は特に限定しない。
【００５６】
【発明の効果】
以上説明したように、本発明は装飾物の収納容器を少なくも２つ以上の部材に分割可能とし、その内部に配置した発光手段により生けた装飾物を下方から満遍なくライトアップしてその美観を向上させることができる。また、前記発光手段から放射される光がその下方に配置した受け容器内の光触媒層を好適に照射する構造としたので、光触媒反応によって中の水の腐敗防止と水垢や藻の発生防止さらには生けた生々植物の生理作用を抑制し鮮度状態を長く保つことができる。また、収納容器内部に発光手段を内蔵した構造であるため、従来のように照明器具が設置された特定の場所に限らず任意の設置場所を選択できる。
【図面の簡単な説明】
【図１】  本発明第１実施形態の概略図である。
【図２】  スタンドの概略図である。
【図３】  光触媒層の説明図である。
【図４】  収納容器の寸法関係を示す説明図である。
【図５】  本発明第２実施形態の概略図である。
【図６】  本発明第３実施形態の概略図である。
【図７】  第３実施形態における発光手段取付部の概略図である。
【図８】  本発明第４実施形態の概略図である。
【符号の説明】
１  収納容器
２  上ケース
３  下ケース
４  分割部
５  開口
９  底壁
１３  架台
１４  受け容器
２１  スタンド
２８  発光手段
４０  蛍光管
４３  外側環状部
４４  内側環状部
５０  遮光板
Ｓ  装飾物
Ｗ  水
【図１】
0003928390.tif 000002
【図２】
0003928390.tif 000003
【図３】
0003928390.tif 000004
【図４】
0003928390.tif 000005
【図５】
0003928390.tif 000006
【図６】
0003928390.tif 000007
【図７】
0003928390.tif 000008
【図８】
0003928390.tif 000009